(57)【要約】【課題】  部品点数が少なくて製作し易く、かつ使い易く、これをペン立て等として使用することもできる万年カレンダーを提供する。【解決手段】  プラスチック製の万年カレンダー表示板１を備え、その表面に、万年カレンダーの日付表２と、曜日６が表示された１ヶ月分の日付が表示可能な日付窓３が形成されている。この万年カレンダー表示板１を巻回し上記日付窓３を万年カレンダーの日付表２に対応させ、その位置でギボシホック９を挿入孔１０に挿入することにより巻回した万年カレンダー表示板１を保持することによって各月の暦が形成される。【選択図】      図１
0003164597.tif 000002
【実用新案登録請求の範囲】
【請求項１】
プラスチック材で形成される万年カレンダー表示板を有し、この表示板の表面に、万年カレンダーの日付表と、曜日が表示された１ヶ月分の暦の各日付が表示可能な日付窓を所定の間隔をあけて形成し、この表示板を巻回させ上記日付窓を万年カレンダーの日付表に対応させることによって各月の暦が表示し得るようその各位置で保持するための係止手段を設けたことを特徴とする万年カレンダー。
【請求項２】
万年カレンダー表示板が半透明または不透明に形成された請求項１に記載の万年カレンダー。
【請求項３】
係止手段として、万年カレンダー表示板に、ギボシホックと、このギボシホックを挿入するための孔が設けられた請求項１または２に記載の万年カレンダー。
【考案の詳細な説明】
【技術分野】
【０００１】
本考案は、万年カレンダー表示板を巻回することによって各月の暦を形成した使いやすい万年カレンダーに関する。
【背景技術】
【０００２】
従来、種々の万年カレンダーが考案されており、これらの万年カレンダーを大別すると、平板状のものと、立体的なものとに分けられる。
平板状のものとしては、万年カレンダーの日付表が表示された日付パーツと、１ヶ月分の日付が表示される窓枠を有する窓枠パーツを別体として備え、これらのパーツを組み合わせ、窓枠パーツを日付パーツに対して移動させることによって各月の暦を得るようにしたものが考えられている。また、日付パーツと窓枠パーツを別体に設け、各月に対応するように窓枠パーツに日付パーツを差し替えるようにしたものがある。
更に、立体的なものとして、万年カレンダーの日付表が表示された内筒体と、１ヶ月分の日付が表示される窓枠外筒体を備え、その内筒体を回転させることによって各月の暦を得るようにしたものがある。
【０００３】
これらの万年カレンダーは、いずれも複数のパーツよりなり部品点数が多く、容易に製作することができないものであり、また、日付パーツを差し替えるものにおいては、日付パーツを紛失し破損したりして使用できなくなる場合がある。
【先行技術文献】
【特許文献】
【０００４】
【特許文献１】実用新案登録第３０７９７４４号公報
【考案の概要】
【考案が解決しようとする課題】
【０００５】
本考案は、これらの問題点を解消するものであり、部品点数が少なくて製作し易く、かつ使い易く、これをペン立て等として使用することもできる万年カレンダーを提供しようとするものである。
【課題を解決するための手段】
【０００６】
本考案は、プラスチック製の万年カレンダー表示板を備え、その表面に、万年カレンダーの日付表と、曜日が表示された１ヶ月分の日付が表示可能な日付窓を形成し、この表示板を巻回し上記日付窓を万年カレンダーの日付表に対応させ、その位置で係止手段を用いて保持することによって各月の暦を形成するようにしたものである。
【０００７】
また、本考案は、万年カレンダー表示板が半透明または不透明に形成されたものである。
【０００８】
万年カレンダー表示板は、ポリプロピレン、ポリ塩化ビニールその他のプラスチック材を単層で、あるいは異種素材のものを積層状態にして形成される。なお、万年カレンダー表示板は、通常、半透明または不透明に形成されるが、必要に応じて透明に形成する場合がある。
【０００９】
この万年カレンダー表示板は、一般に、横長矩形状であって、３３０ｍｍ（横幅）×１１０ｍｍ（縦幅）×１．０ｍｍ（厚さ）の寸法に形成されるが、その厚さは材質に応じて０．５ｍｍまで薄くしたものを用いることができる。なお、これらの寸法はこれのみに限定されるものではない。
【００１０】
万年カレンダー表示板の一方側の表面には、万年カレンダーの日付表が表示される。この日付表は、日付を表す「１」〜「３１」の数字が、横一行に１３字分を表示しこれを５行に亘って表示されており、１行目には、行の中央に「１」の数字が、これに引き続いて「２」から「７」の数字が表示され、２行目には「２」〜「１４」の数字が、３行目には「９」〜「２１」の数字が、４行目には「１６」〜「２８」の数字が、最後の５行目には「２３」〜「３１」の数字がそれぞれ順次表示されている。なお、上記「２３」と「２４」の日付表示部には、一般に「２３／３０」、「２４／３１」のように２日分の日付が表示されるが、これらの表示に代えて新たに６行目を設け、この６行目に「３０」と「３１」の日付を別途表示するようにしてもよい。
【００１１】
一方、万年カレンダー表示板の他方側の表面には、上記万年カレンダーの日付表の日付に対応するように１ヶ月分の暦の日付が表示可能な日付窓（貫通窓）が形成されている。この日付窓は、１ヶ月分の日付が表示できるように横一行に７日分（１週間分）の窓が５行に亘って形成されている。なお、上記日付表のように、６行目に「３０」と「３１」の日付が表示される場合には、この「３０」と「３１」の日付に対応して６行目に新たな日付窓を形成するようにする。
これらの日付窓は、矩形（隅丸のものを含む）、円形、楕円形その他種々の形状に形成することができる。
【００１２】
上記１行目の日付窓の上方には、「ＳＵＮ」、「ＭＯＮ」、「ＴＵＥ」、「ＷＥＤ」、「ＴＨＵ」、「ＦＲＩ」、「ＳＡＴ」あるいは「日」、「月」、「火」、「水」、「木」、「金」、「土」等のように曜日を表す文字が表示される。この場合、日曜日を表す「ＳＵＮ」及び「日」を赤色に、土曜日を表す「ＳＡＴ」及び「土」を青色などに表示すると一層見易くなる。
【００１３】
万年カレンダー表示板を暦として使用する場合には、表示板を巻回して万年カレンダーの日付表より所望の月の暦を選択しこれに日付窓を重ね、この位置で係止手段を用いて表示板を保持する。
この係止手段としては、日付窓側にギボシホックを設け、日付表側にギボシホック用の挿入孔を設けており、このギボシホックをギボシホック用の挿入孔に挿入することによって表示板を保持するようにしている。この場合、ギボシホック用の挿入孔として少なくとも７個設けておくと、これらの中の適当な挿入孔を用いることによって、全ての月の暦を形成することができる。なお、上記係止手段としては、その他スナップボタンや、ピン等の係止具を用いることができる。
【００１４】
万年カレンダー表示板を巻回し、これを係止手段で保持して形成した万年カレンダーは、万年カレンダー表示板の巻回内に空間が形成されるので、この空間に鉛筆やボールペン、定規、はさみ、ナイフ等の文具等を収容させてペン立て等として用いることができる。
【００１５】
なお、上記万年カレンダー表示板には、種々の色彩や模様を施したり、宣伝広告の文字を表示したりすることができる。
【考案の効果】
【００１６】
本考案は、表示板に万年カレンダーの日付表と１ヶ月分の日付窓が設けられ、この表示板を巻回しこれを所定の位置で保持することによって所望の月の暦を表示することができるので、全ての月の暦を簡便に形成することができる。また、この巻回した状態を利用してペン立て等として使用することができる。更に、万年カレンダーが扁平な表示板で形成されているので、封筒等に入れて郵送することができ、表示板に広告宣伝等の表示をすることによって販促用としても利用することができ便利である。
【図面の簡単な説明】
【００１７】
【図１】万年カレンダー表示板の平面図である。
【図２】ギボシホックの拡大一部断面図である。
【図３】万年カレンダーの使用状態を示す正面図である。
【図４】図３に示す万年カレンダーの拡大横断面図である。
【図５】他の例の万年カレンダー表示板を示す平面図である。
【考案を実施するための形態】
【００１８】
万年カレンダー表示板１は、半透明のポリプロピレン材で形成されており、図１に示すように、一方の側（右側）に万年カレンダーの日付表２が表示され、他方の側（左側）に１ヶ月分の暦の日付が表示可能である貫通した日付窓３が形成されている。この例では、日付窓３は、横長矩形状に形成され、隅丸４になっている。なお、上記万年カレンダー表示板１も隅丸５に形成されている。
【００１９】
日付窓３の上部には、曜日６が表示されている。この例では、日曜日を表す「ＳＵＮ」の文字７が赤色で表示されており、また日付を表す数字８が赤色で表示されているが、これらの曜日及び日付には他の色彩のものを用いるようにしてもよい。
【００２０】
万年カレンダー表示板１は、図３に示すように、これを巻回して万年カレンダーの日付表２から該当する月の暦を選択し、その暦の上に日付窓３を重ねることによって所望の暦が構成できるようになっている。万年カレンダー表示板１を巻回した際に、万年カレンダー表示板１を所定の位置で保持できるように、万年カレンダー表示板１には、ギボシホック９と、このギボシホックを挿入して支持するための挿入孔１０が設けられている。
【００２１】
ギボシホック９は、図２に示すように、ネジ部１１を有する頭部１２と、このネジ部１１が係合するネジ孔１３を有する受部１３を備えており、この頭部１２のネジ部１１を万年カレンダー表示板１に形成した孔１５に挿入し、頭部１２と受部１４の間に万年カレンダー表示板１を挟むようにようにして頭部１２のネジ部１１を受部１４のネジ孔１３に係合することによってギボシホック９を万年カレンダー表示板１に装着している。なお、実施例では、ギボシホック９が万年カレンダー表示板１の左側上下端部にそれぞれ１個ずつ設けられているが、これらのギボシホック９は、その左側上下端部にそれぞれ２個ずつ間隔をあけて設けるようにしてもよい。
【００２２】
上記受部１４に形成される突部１６は、擬宝珠状の形状をしており、この突部１６が万年カレンダー表示板１の日付表２の上下縁部に形成された挿入孔１０に挿入される。この例では、挿入孔１０が７個設けられており、これによって全ての月の暦が表示できるようになっているが、ギボシホック９を上下にそれぞれ複数個ずつ設けた場合には、その追加したギボシホック９の数に応じて挿入孔１０が増加される。
【００２３】
万年カレンダー表示板１には、その周縁部１７または日付窓３と日付表２との間に形成される空白部分１８に宣伝広告用の文字１９を表示することができる。
【００２４】
巻回状に組み立てられた万年カレンダー表示板１は、図３及び図４に示すように、内部空間２０に鉛筆２１等を差し入れたりしてペン立て等として使用することができる。
【００２５】
図５に示す万年カレンダー表示板１は、図１に表示される日付表２において、「２３／３０」及び「２４／３１」のように共有した日付の表示部分をそれぞれ別個に上下に「２３」と「３０」及び「２４」と「３１」のように表示（追加する日付２２）したものである。なお、この表示に合わせて日付窓３も図示のように追加（追加する日付窓２３）している。
【符号の説明】
【００２６】
１  万年カレンダー表示板    ２  日付表    ３  日付窓    ６  曜日    ９  ギボシホック    １０  挿入孔    １９  宣伝広告用の文字    ２０  空間
【図１】
0003164597.tif 000003
【図２】
0003164597.tif 000004
【図３】
0003164597.tif 000005
【図４】
0003164597.tif 000006
【図５】
0003164597.tif 000007